(57)【要約】      （修正有）【課題】便利な指回し機能付き回転盤を提供すること。【解決手段】回転盤Ａは座板１０と回転板２０とを備え、該回転板２０の中央底部には、回転ユニット３０が座板１０の中央部に設けられる。回転板２０は受け面２１と円周２２とを備える。該回転板２０の円周２２には、使用者が指で回せるように、歯形縁部４０が間隔を開けて環状に設けられている。そのため、使用者が回転盤Ａを操作している間に該回転板２０を回す際、歯形縁部４０を指で回して行うことができ、手が滑るのが有効に防止され、回転を更に正確且つ安定的に容易に行うことができ、操作性や利便性が大幅に向上する。【選択図】図１
0003208237.tif 000002
【実用新案登録請求の範囲】
【請求項１】
座板と、力を受けて回転されるように該座板の上に設けられる回転板とを備える便利な指回し機能付きの回転盤であって、
前記回転板の中央底部には、回転ユニットが前記座板の中央部に設けられ、前記回転板は、受け面と円周とを備え、前記回転板の円周には、間隔を開けて環状に設けられた歯形縁部があることを特徴とする回転盤。
【請求項２】
前記回転板の円周は円形又は多辺形に設けられ、
前記歯形縁部の輪郭は扇形、半円形、梯子形、山形及び凸形のうちのいずれか１つの形状に設けられ、隣り合う歯形縁部間のピッチは、前記歯形縁部の幅よりも大きいか又は該幅と同じか又は該幅よりも小さくなるように設けられることを特徴とする、請求項１に記載の回転盤。
【請求項３】
前記座板の中央部には円形貫通穴が設けられ、前記回転ユニットは逆Ｔ字形の円形台座であって、上結合面及び下位置決め環状縁部を備え、該上結合面は前記回転板の底面に結合固定され、前記円形貫通穴の底には拡張環状面が設けられ、それにより、前記回転ユニットの下位置決め環状縁部が前記拡張環状面に突き当たるように設けられることを特徴とする、請求項２に記載の回転盤。
【請求項４】
前記回転盤は切断用パッドで使用され、前記回転板の受け面は、切断に耐えられる材料で作られる切断用受け面であることを特徴とする、請求項１に記載の回転盤。
【請求項５】
前記回転盤は、ケーキ作り、粘土、生け花及び手工芸のうちのいずれか１つのための補助用回転盤であることを特徴とする、請求項１に記載の回転盤。
【考案の詳細な説明】
【技術分野】
【０００１】
本考案は、回転盤の商品構造に関し、特に便利な指回し機能を有する、オリジナルな回転盤構造形態に関する。
【背景技術】
【０００２】
本願で説明する回転盤は切断用パッド又はケーキ作り用回転盤として使用され、切断用パッドとして使用される場合は、使用者が紙や他の物を切断する際に被切断物の下に敷いて、カッターで机の表面が傷付くのを防止するのに使用されるものである。そのため、切断用パッドは切断作業に欠かすことができない補助道具である。
【０００３】
従来の切断用パッドは、周知のように、切断に耐えられる材料で作られた、一定の厚み及び幅を有する矩形又は方形の板体である。このような従来の切断用パッドは使用のときに向きが固定されるため、使用者が順調に切断できる向きを柔軟に調整できないという問題点があった。このような問題点に鑑み、その後、業界では、使用角度に応じて好きなように回転調整可能な回転盤形態が開発された。
【０００４】
しかしながら、前段部に回転調整機能を有する従来の切断用パッドにも、現在広く使用されている経験から、やはり幾つかの問題点や欠点があった。詳細には、従来の回転調整機能付き切断用パッドでは、輪郭形状が従来の切断用パッドのような矩形又は方形に設けられ、切断用パッドを回すときに、従来の切断用パッドに４つの隅角だけがなく、他は全て平らたく直線的な形状になっているため、それに手で力を加えて回す際に手で握る安定性が非常に悪く、手が滑りやすいことが多かった。ひどい場合には、使用者の操作性に悪影響が及ぶこともあり、それが、常に回転方向の微調整が要求される工芸における切断（例えば、花形切り、複雑な湾曲形状作りなど）の場合に、使用者がそれを上手く操作できないことが更に顕著になる。この問題点をどのように解決すべきかは、関連業者が関心を持って考えるべき重要な技術的課題である。
【考案の概要】
【考案が解決しようとする課題】
【０００５】
本考案は、便利な指回し機能付き回転盤を提供することを目的とし、本考案が解決しようとする技術的課題は、より理想的で実用性のあるオリジナルな回転盤構造形態を開発することにある。
【課題を解決するための手段】
【０００６】
回転盤は、座板と回転板とを備え、該回転板の中央底部には、回転ユニットが座板の中央部に設けられ、回転板は受け面と円周とを備える。本考案の課題を解決するための技術的特徴として、該回転板の円周に、使用者が指で回せるように、間隔を開けて歯形縁部が環状に設けられている。
【０００７】
このようなオリジナル設計による本考案は、背景技術に対して、該回転板の円周に、間隔を開けて該歯形縁部が環状に設けられているという技術的特徴を利用して、使用者が回転盤を操作している間に該回転板を回す際、歯形縁部を指で回して行うことができ、手が滑るのが有効に防止され、回転を更に正確且つ安定的に容易に行うことができ、操作性や利便性が大幅に向上するという実用性・進歩性がある。
【図面の簡単な説明】
【０００８】
【図１】本考案の回転盤構造の好適な実施例の分解斜視図。
【図２】本考案の回転盤構造の好適な実施例の合体斜視図。
【図３】本考案の回転盤構造の好適な実施例の部分断面図。
【図４】使用者が指で回しやすいように設けられた本考案の歯形縁部の図。
【図５】本考案の歯形縁部の輪郭形態のもう一つの実施例の図。
【図６】本考案の歯形縁部の輪郭形態の更にもう一つの実施例の図。
【図７】本考案の歯形縁部のピッチが歯形縁部の幅より大きく配置される場合の実施例の図。
【考案を実施するための形態】
【０００９】
図１〜図３に、本考案の便利な指回し機能付き回転盤の好適な実施例を示す。これらの実施例は説明のみを目的に用いられ、本考案はそれらの構造に限定されないものとする。
【００１０】
回転盤Ａは、座板１０と、力を受けて回転されるように座板１０の上に設けられる回転板２０とを備える。回転板２０の中央底部には、回転ユニット３０が座板１０の中央部に設けられ、回転板２０は、受け面２１と円周２２とを備え、回転板２０の円周２２には、間隔を開けて環状に設けられるとともに使用者が指で回せるように設けられる歯形縁部４０がある。
【００１１】
上述した構造、組立、設計により、本考案に係る回転盤Ａのコア技術として、回転板２０の円周２２には更に、間隔を開けて歯形縁部４０が設けられているという形態特徴が挙げられる。図４は、回転盤Ａを切断用パッドとして使用する応用例を示す。回転盤Ａを使用している間に回転板２０を回して最適な切断用方向に調整する際、指で歯形縁部４０を回すだけで回転板２０を簡単に回転させることができる。それに加えて、歯形縁部４０に最良な滑止の摩擦力と動かされ易い効果がある。指で歯形縁部４０を回す場合、大きな角度の移動量又は微々たる移動距離であっても、正確且つ安定的に指回しで制御することができるため、従来の手が滑り易いといった問題が徹底的に改善され、使用者の使用感が大幅に向上する。このような長所は、常に回転方向の微調整が要求される工芸における切断（例えば、花形切り、複雑な湾曲形状作りなど）の場合に更に顕著となる。そのような点に鑑み、本考案に係る回転盤Ａは切断の工芸者にとって最適な補助道具となり得る。
【００１２】
回転板２０の円周２２は円形又は多辺形に設けられ、歯形縁部４０の輪郭は、扇形、半円形、梯子形、山形及び凸形のうちのいずれか１つの形状に設けられる。図１、図２、図４に示す歯形縁部４０の輪郭は扇形、図５に示す歯形縁部４０Ｂの輪郭は山形、そして、図６に示す歯形縁部４０Ｃの輪郭は凸形の形態であり、これらはどれも、具体的な実施例図でもよい。回転板２０の円周２２が多辺形である場合であって円形に近い形態にしたほうが好適である場合は、例えば、八辺形又は辺の数が八辺形より多いほうが好適である。
【００１３】
隣り合った歯形縁部４０間のピッチは、歯形縁部４０の幅よりも大きいか又は該幅と同じか又は該幅よりも小さくなるように設けられ得る。図４、図５、図６に示す歯形縁部４０、４０Ｂ、４０Ｃのピッチはいずれも歯形縁部４０の幅と同じように設けられ、図７に示す歯形縁部４０のピッチ（Ｗ１）は歯形縁部４０（Ｗ２）の幅よりも大きくなるように設けられている。
【００１４】
図１に示すように、座板１０の中央部には円形貫通穴１１が設けられ、回転ユニット３０は逆Ｔ字形の円形台座であって、上結合面３１と下位置決め環状縁部３２とを備える。詳細には、図３に示すように、上結合面３１が回転板２０の底面に結合固定され、円形貫通穴１１の底には拡張環状面１２が設けられ、それによって、回転ユニット３０の下位置決め環状縁部３２が拡張環状面１２に突き当たるように設けられる。本実施例で説明した回転ユニット３０の実施形態は好適な実施例の１つを取り上げたに過ぎず、それに限定されないものとする。
【００１５】
回転盤Ａは切断用パッドとして使用され、回転板２０の受け面２１は切断に耐えられる材料で作られる切断用受け面である。
【００１６】
また、回転盤Ａは、ケーキ作り、粘土、生け花及び手工芸のうちの何れかの１つのための補助用回転盤としても使用される。
【００１７】
本考案に係る「便利な指回し機能付き回転盤」は、回転板の円周に更に歯形縁部が間隔を開けて環状に設けられているというオリジナルな構造形態を技術的特徴とする。本考案は背景技術で述べた従来の構造に対して、回転板の円周に間隔を開けて環状に設けられた歯形縁部の技術的特徴を利用することで、使用者が回転盤を操作している間に該回転板を回す際、歯形縁部を指で回して行うことができ、手が滑ることが有効に防止され、回転を更に正確且つ安定的に容易に行うことができ、操作性や利便性が大幅に向上するという実用性・進歩性がある。
【符号の説明】
【００１８】
Ａ  回転盤
１０  座板
１１  円形貫通穴
１２  拡張環状面
２０  回転板
２１  受け面
２２  円周
３０  回転ユニット
３１  上結合面
３２  下位置決め環状縁部
４０、４０Ｂ、４０Ｃ  歯形縁部
【図１】
0003208237.tif 000003
【図２】
0003208237.tif 000004
【図３】
0003208237.tif 000005
【図４】
0003208237.tif 000006
【図５】
0003208237.tif 000007
【図６】
0003208237.tif 000008
【図７】
0003208237.tif 000009